(57)【要約】【課題】ベルト式伝動機構のデッキ上面からの突出高さを低くすることができ、その上、プーリの組み付け能率の向上を図ることができるようにする。【解決手段】刈刃ハウジング３のデッキ１に複数の貫通孔１０を形成し、上部にプーリ１３を備え、下部に刈刃４と起風羽根９とを備えた駆動軸１４を支持する複数の軸受けボス部１２の各々を、貫通孔周りのデッキ下面に取り付けたフランジ部１１を介して、刈刃ハウジングに取り付けて、プーリを貫通孔の上方に支持し、各プーリに亘ってデッキ上面側で伝動ベルト２１を巻き掛けてベルト式伝動機構８を設け、刈り草を搬送風で刈刃ハウジングの外方に排出するように構成してあるモーアであって、貫通孔を通して刈刃ハウジングの内外を連通する連通孔２３をフランジ部に形成し、貫通孔を、軸芯方向視で、プーリの外形よりも大きい形状で形成してある。【選択図】　　　　図２
2004033128.tif 000002
【特許請求の範囲】
【請求項１】
刈刃ハウジングのデッキに複数の貫通孔を形成し、上部にプーリを備え、かつ、下部に刈刃と起風羽根とを備えた駆動軸を縦軸芯周りで回転自在に支持する複数の軸受けボス部の各々を、前記貫通孔周りのデッキ下面に取り付けたフランジ部を介して、前記刈刃ハウジングに取り付けて、前記プーリを前記貫通孔の上方に支持し、
前記各プーリに亘ってデッキ上面側で伝動ベルトを巻き掛けて、前記駆動軸どうしを連動回転させるベルト式伝動機構を設け、
前記刈刃で刈り取った刈り草を前記起風羽根で起こした搬送風で前記刈刃ハウジングの外方に排出するように構成してあるモーアであって、
前記貫通孔を通して前記刈刃ハウジングの内外を連通する連通孔を前記フランジ部に形成し、前記貫通孔を、軸芯方向視で、前記プーリの外形よりも大きい形状で形成してあるモーア。
【発明の詳細な説明】
【０００１】
【発明の属する技術分野】
本発明は、刈刃ハウジングのデッキに複数の貫通孔を形成し、上部にプーリを備え、かつ、下部に刈刃と起風羽根とを備えた駆動軸を縦軸芯周りで回転自在に支持する複数の軸受けボス部の各々を、前記貫通孔周りのデッキ下面に取り付けたフランジ部を介して、前記刈刃ハウジングに取り付けて、前記プーリを前記貫通孔の上方に支持し、前記各プーリに亘ってデッキ上面側で伝動ベルトを巻き掛けて、前記駆動軸どうしを連動回転させるベルト式伝動機構を設け、前記刈刃で刈り取った刈り草を前記起風羽根で起こした搬送風で前記刈刃ハウジングの外方に排出するように構成してあるモーアに関する。
【０００２】
【従来の技術】
上記モーアでは、従来、複数の貫通孔を駆動軸の上部に備えたプーリの外形よりも小さい形状でデッキに形成し、取り付け用のフランジ部を備えた軸受けボス部の各々を、貫通孔周りのデッキ下面に取り付けたフランジ部を介して、刈刃ハウジングに取り付けて、プーリを貫通孔の上方に支持し、各プーリに亘ってデッキ上面側で伝動ベルトを巻き掛けて、駆動軸どうしを連動回転させるベルト式伝動機構を設けている。
【０００３】
【発明が解決しようとする課題】
このため、貫通孔の上方に支持したプーリがデッキに接触しないように、プーリ下面とデッキ上面との間に十分なクリアランスを確保して、プーリを駆動軸に組み付ける必要があるので、プーリのデッキ上面からの支持高さが高くなって、ベルト式伝動機構のデッキ上面からの突出高さが高くなり、モーアを走行面の起伏に応じて昇降操作自在に走行機体に支持する場合に、昇降範囲が狭くなる欠点がある。
また、軸受けボス部を、プーリを備えた駆動軸ごと刈刃ハウジングに取り付けて、プーリの組み付け能率の向上を図ろうとしても、貫通孔をプーリの外形よりも小さい形状で形成してあるので、プーリを駆動軸から外した状態で、軸受けボス部をデッキ下面側から刈刃ハウジングに取り付けて、プーリをデッキ上面側から駆動軸に別途組み付ける必要があり、プーリの組み付け能率の向上を図れない欠点がある。
本発明は上記実情に鑑みてなされたものであって、ベルト式伝動機構のデッキ上面からの突出高さを低くすることができ、その上、プーリの組み付け能率の向上を図ることができるようにすることを目的とする。
【０００４】
【課題を解決するための手段】
請求項１記載の発明の特徴構成は、刈刃ハウジングのデッキに複数の貫通孔を形成し、上部にプーリを備え、かつ、下部に刈刃と起風羽根とを備えた駆動軸を縦軸芯周りで回転自在に支持する複数の軸受けボス部の各々を、前記貫通孔周りのデッキ下面に取り付けたフランジ部を介して、前記刈刃ハウジングに取り付けて、前記プーリを前記貫通孔の上方に支持し、前記各プーリに亘ってデッキ上面側で伝動ベルトを巻き掛けて、前記駆動軸どうしを連動回転させるベルト式伝動機構を設け、前記刈刃で刈り取った刈り草を前記起風羽根で起こした搬送風で前記刈刃ハウジングの外方に排出するように構成してあるモーアであって、前記貫通孔を通して前記刈刃ハウジングの内外を連通する連通孔を前記フランジ部に形成し、前記貫通孔を、軸芯方向視で、前記プーリの外形よりも大きい形状で形成してある点にある。
【０００５】
〔作用及び効果〕
刈り高さが低くなるように刈刃ハウジングを地面に近接させると、刈刃ハウジングの外周部と地面との隙間が狭くなって、刈刃ハウジング内に空気が流入しにくくなるので、起風羽根の駆動にかかわらず、充分な風量で搬送風を起こせなくなり、刈り草を刈刃ハウジングから外方に排出できなくなるおそれがあるが、デッキに形成した貫通孔を通して刈刃ハウジングの内外を連通する連通孔をフランジ部に形成してあるので、刈刃ハウジングの外周部と地面との隙間が狭くなって、刈刃ハウジング内に空気が流入しにくくなっても、デッキに形成した貫通孔とフランジ部に形成した連通孔とを通して刈刃ハウジング内に空気を流入させて搬送風を起こせるようになり、刈り草を刈刃ハウジングから外方に排出できなくなるおそれが少ない。
そして、貫通孔を、軸芯方向視で、プーリの外形よりも大きい形状でデッキに形成してあるので、プーリをデッキ上面に近接するように、或いは、その一部が貫通孔に入り込むように駆動軸の上部に設けて貫通孔の上方に支持しても、プーリがデッキに接触するおそれがなく、プーリのデッキ上面からの支持高さを低くして、ベルト式伝動機構のデッキ上面からの突出高さを低くすることができる。その上、貫通孔をプーリの外形よりも大きい形状で形成してあるので、上部にプーリを備えた駆動軸を軸受けボス部に支持して、その軸受けボス部を、プーリを貫通孔を通してデッキ上面に入り込ませながら、デッキ下面側から刈刃ハウジングに取り付けけることができ、プーリの組み付け能率の向上を図ることができる。
【０００６】
【発明の実施の形態】
以下に本発明の実施の形態を図面に基づいて説明する。
図１は、走行機体の前・後輪の間に装備されるミッドマウント型乗用芝刈機のモーアＭを示し、このモーアＭは、デッキ１の下面側を外周壁２で囲ってある刈刃ハウジング３の内側に、縦軸芯Ｘ周りで回転する３枚の刈刃４を内装してある３枚刈刃形式のモーアであって、刈刃ハウジング３のデッキ上面の略中央に、走行機体側から動力が伝達される入力軸５を備えたベベルギアケース６を固定し、そのベベルギアケース６に内装してあるベベルギア機構７と、デッキ上面に配設してあるベルト式伝動機構８とを介して、起風羽根９を一体形成してある３枚の刈刃４を駆動回転させるように構成してある。
【０００７】
つまり、図２，図３に示すように、刈刃ハウジング３のデッキ１に三つの貫通孔１０を略円形に形成し、取り付け用のフランジ部１１を一体形成してある中央の第１軸受けボス部１２Ａと左右の第２軸受けボス部１２Ｂとの三つの軸受けボス部１２の各々を、貫通孔１０周りのデッキ下面にボルト固定したフランジ部１１を介して、貫通孔１０と略同芯状に刈刃ハウジング３に取り付けるとともに、上部にプーリ１３を備え、かつ、起風羽根９を一体形成してある刈刃４を下部に備えた刈刃駆動軸１４を各軸受けボス部１２に縦軸芯Ｘ周りで回転自在に支持して、各プーリ１３を貫通孔１０の上方に支持してある。
【０００８】
前記第１軸受けボス部１２Ａは、図２に示すように、そのフランジ部１１Ａを、ベベルギアケース６にボルト固定したステー２４と共に共締め状態でボルト２５でデッキ１に固定して、ボス１５Ａの上端をデッキ上面と略同じ高さに位置させて、第１刈刃駆動軸１４Ａを回転自在に支持してあり、グリス注入路２６をフランジ部１１Ａに縦軸芯Ｘに対して直交する方向に形成し、そのグリス注入路２６に連通するグリスニップル２７をデッキ１の上方に突出させて、第１軸受けボス部１２Ａと第１刈刃駆動軸１４Ａとの間にグリスを注入できるようにしてある。
【０００９】
また、第２軸受けボス部１２Ｂの各々は、図３に示すように、ボス１５Ｂの上端をデッキ上面よりも上方に突出させて、第２刈刃駆動軸１４Ｂを回転自在に支持してあり、貫通孔１０の周部にグリス注入用の切欠き部２８を形成すると共に、その切欠き部２８に開口するようにグリス注入路２９をフランジ部１１Ｂに斜めに形成し、グリス注入路２９に連通するグリスニップル３０をデッキ１の上方に突出させて、第２軸受けボス部１２Ｂと第２刈刃駆動軸１４Ｂとの間にグリスを注入できるようにしてある。
【００１０】
前記ベベルギア機構７は、入力軸５に装着した駆動側ベベルギア１６と出力軸としての第１刈刃駆動軸１４Ａに装着した受動側ベベルギア１７とを備え、入力軸５を前後一対のベアリング（　図外）　でベベルギアケース６に横軸芯Ｙ周りで回転自在に支持するとともに、第１刈刃駆動軸１４Ａを、ベベルギアケース６に設けたベアリング１９と第１軸受ボス部１２Ａに装着したベアリング２０とで縦軸芯Ｘ周りで回転自在に支持してある。
【００１１】
そして、第１刈刃駆動軸１４Ａに装着した第１プーリ１３Ａと、左右の第２刈刃駆動軸１４Ｂに装着した第２プーリ１３Ｂとに亘ってデッキ上面側で二本の伝動ベルト２１を巻き掛けて、三つの刈刃駆動軸１４どうしを連動回転させるベルト式伝動機構８を設け、中央の刈刃４Ａと左右の刈刃４Ｂとを起風羽根９と共に同じ方向に駆動回転させて、各刈刃４で刈り取った刈り草を起風羽根９で起こした搬送風で刈刃ハウジング３の横側部に設けた排出口２２から走行機体の横外方に排出できるように構成してある。
【００１２】
また、貫通孔１０の各々を、軸芯方向視で、その上方に支持してあるプーリ１３（　１３Ａ，１３Ｂ）　の外形よりも大きい形状、つまり、プーリ１３の外径よりも大きい大径に形成して、各プーリ１３をデッキ上面に近接させて支持するとともに、各貫通孔１０を通して刈刃ハウジング３の内外を連通する連通孔２３を、図４に第２軸受けボス部１２Ｂのフランジ部１１Ｂにて例示するように、各軸受けボス部１２のフランジ部１１に周方向に間隔を隔てて形成してある。
【００１３】
〔その他の実施形態〕
１．本発明によるモーアは、楕円や略矩形の貫通孔をデッキに形成して、その貫通孔周りのデッキ下面に取り付けたフランジ部を介して、軸受けボス部を、刈刃ハウジングに取り付けてあっても良い。
２．本発明によるモーアは、刈刃と起風羽根とを駆動軸に各別に設けてあっても良い。
３．本発明によるモーアは、プーリを、その一部が貫通孔に入り込む状態で、貫通孔の上方に支持してあっても良い。
【図面の簡単な説明】
【図１】モーアの平面図
【図２】要部の縦断面図
【図３】要部の縦断面図
【図４】要部の平面図
【符号の説明】
１　　デッキ
３　　刈刃ハウジング
４　　刈刃
８　　ベルト式伝動機構
９　　起風羽根
１０　貫通孔
１１　フランジ部
１２　軸受けボス部
１３　プーリ
１４　駆動軸
２１　伝動ベルト
２３　連通孔
Ｘ　　縦軸芯
【図１】
2004033128.tif 000003
【図２】
2004033128.tif 000004
【図３】
2004033128.tif 000005
【図４】
2004033128.tif 000006